(57)【要約】【課題】掻込みリールを上昇させた状態でこの掻込みリールを昇降させる油圧シリンダが故障した場合に、掻込みリールが下降することを防止する。【解決手段】掻込みリール（１８）の下降を規制する下降規制手段（Ａ）を刈取装置（１３）におけるキャビン（５）側の側部に設ける。  また、昇降手段（１０）は、前記刈取テーブル（１４）側に一端が連結されたシリンダケース（１０ａ）と、前記掻込リール（１８）を支持するリール支持アーム（１９Ｒ）側にが連結され、シリンダケース（１０ａ）に摺動自在なシリンダロッド（１０ｂ）とを備え、前記下降規制手段（Ａ）は、リール支持アーム（１９Ｒ）に基端部を回動自在に取り付けた突っ張り体（１）を備え、該突っ張り体（１）の先端部をシリンダケース（１０ａ）に係合させることで掻込みリール（１８）の下降を規制する。【選択図】図３
2013094104.tif 000002
【特許請求の範囲】
【請求項１】
刈刃装置（１６）を備える刈取テーブル（１４）の上方に、穀稈を掻込む掻込みリール（１８）と、該掻込みリール（１８）を刈取テーブル（１４）に対して昇降させる昇降手段（１０）を有する刈取装置（１３）を備えたコンバインであって、
前記刈取テーブル（１４）に対する掻込みリール（１８）の下降を規制する下降規制手段（Ａ）を設けたことを特徴とするコンバイン。
【請求項２】
前記刈取装置（１３）の後側に操縦者が搭乗するキャビン（５）を設け、該キャビン（５）を機体の左右一側に偏倚させて配置し、前記下降規制手段（Ａ）を刈取装置（１３）におけるキャビン（５）配置側の部位に設けた請求項１に記載のコンバイン。
【請求項３】
前記昇降手段（１０）は、前記刈取テーブル（１４）側に連結されたシリンダケース（１０ａ）と、前記掻込リール（１８）を支持するリール支持アーム（１９Ｒ）側に連結されたシリンダロッド（１０ｂ）とを備え、前記下降規制手段（Ａ）は、リール支持アーム（１９Ｒ）に回動自在に取り付けた突っ張り体（１）の先端部をシリンダケース（１０ａ）に係合させることで掻込みリール（１８）の下降を規制する構成とした請求項１または請求項２に記載のコンバイン。
【請求項４】
前記突っ張り体（１）を、前記シリンダケース（１０ａ）に係合する下降規制状態と、リール支持アーム（１９Ｒ）に沿わせて収納した刈取作業状態とに切替可能な構成とした請求項３に記載のコンバイン。
【請求項５】
前記突っ張り体（１）は、リール支持アーム（１９Ｒ）に沿わせて収納した場合に、側面視において掻込みリール（１８）のタイン（５６）が移動することで形成される掻込軌跡の内側に配置される構成とした請求項４記載のコンバイン。
【発明の詳細な説明】
【技術分野】
【０００１】
本発明は、掻込みリールを備えたコンバインに関する。
【背景技術】
【０００２】
特許文献１に示すように、機体の前部に横長のテーブルとその前上方に掻込みリールを設け、穀稈を掻込みリールテーブルの底部に設けた刈刃装置で穀稈の稈身を刈り取るコンバインが知られている。
【先行技術文献】
【特許文献】
【０００３】
【特許文献１】特開２００４−３２１０２７号公報
【発明の概要】
【発明が解決しようとする課題】
【０００４】
コンバインの掻込みリールは、作物によって上下に昇降させて刈刃装置に対する高さを調整するようにしているが、掻込みリールを上昇させた状態で路上走行を行ったり、トラック等で運搬した場合、振動によって掻込みリールを昇降させる油圧シリンダやこれに作動油を送油するための配管の劣化によってオイルが漏出し、掻込リールが下降する虞がある。
【課題を解決するための手段】
【０００５】
上記本発明の課題は、次の技術手段により解決される。
請求項１に記載の発明は、刈刃装置（１６）を備える刈取テーブル（１４）の上方に、穀稈を掻込む掻込みリール（１８）と、該掻込みリール（１８）を刈取テーブル（１４）に対して昇降させる昇降手段（１０）を有する刈取装置（１３）を備えたコンバインであって、前記刈取テーブル（１４）に対する掻込みリール（１８）の下降を規制する下降規制手段（Ａ）を設けたことを特徴とするコンバインとする。
【０００６】
請求項２に記載の発明は、前記刈取装置（１３）の後側に操縦者が搭乗するキャビン（５）を設け、該キャビン（５）を機体の左右一側に偏倚させて配置し、前記下降規制手段（Ａ）を刈取装置（１３）におけるキャビン（５）配置側の部位に設けた請求項１に記載のコンバインとする。
【０００７】
請求項３に記載の発明は、前記昇降手段（１０）は、前記刈取テーブル（１４）側に連結されたシリンダケース（１０ａ）と、前記掻込リール（１８）を支持するリール支持アーム（１９Ｒ）側に連結されたシリンダロッド（１０ｂ）とを備え、前記下降規制手段（Ａ）は、リール支持アーム（１９Ｒ）に回動自在に取り付けた突っ張り体（１）の先端部をシリンダケース（１０ａ）に係合させることで掻込みリール（１８）の下降を規制する構成とした請求項１または請求項２に記載のコンバインとする。
【０００８】
請求項４に記載の発明は、前記突っ張り体（１）を、前記シリンダケース（１０ａ）に係合する下降規制状態と、リール支持アーム（１９Ｒ）に沿わせて収納した刈取作業状態とに切替可能な構成とした請求項３に記載のコンバインとする。
【０００９】
請求項５に記載の発明は、前記突っ張り体（１）は、リール支持アーム（１９Ｒ）に沿わせて収納した場合に、側面視において掻込みリール（１８）のタイン（５６）が移動することで形成される掻込軌跡の内側に配置される構成とした請求項４記載のコンバインとする。
【発明の効果】
【００１０】
請求項１に記載の発明によれば、掻込みリール（１８）を上昇させた状態で昇降手段（１０）が故障した場合に、掻込みリール（１８）が降下することを防止でき、この掻込リール（１８）の下側に位置する刈取テーブル（１４）内のメンテナンスを容易に行うことができる。
【００１１】
請求項２に記載の発明によれば、請求項１記載の発明による効果に加えて、下降規制手段（Ａ）を刈取装置（１３）におけるキャビン（５）配置側の部位に設けたことで、操縦者がキャビン（５）を降りて下降規制手段（Ａ）を容易に操作することができる。
【００１２】
請求項３に記載の発明によれば、請求項１または請求項２に記載の発明による効果に加えて、突っ張り体（１）をシリンダロッド（１０ｂ）の先端側とシリンダケース（１０ａ）の端面との間に挿入する簡単な操作で掻込みリール（１８）の下降を防止することができる。
【００１３】
請求項４に記載の発明によれば、請求項３に記載の発明による効果に加えて、刈取作業時に突っ張り体（１）が穀稈に干渉しにくくなり、この刈取作業を円滑に行なうことができる。
【００１４】
請求項５に記載の発明によれば、請求項４に記載の発明による効果に加えて、収納状態の突っ張り体（１）と掻込リール（１８）で掻込まれる穀稈とが干渉することを防止でき、刈取作業を更に円滑に行なうことができる。
【図面の簡単な説明】
【００１５】
【図１】汎用コンバインの右側断面図である。
【図２】汎用コンバインの平面図である。
【図３】一部の拡大左側面図である。
【図４】一部の拡大斜視図である。
【図５】要部を示す拡大左側面図である。
【図６】冷却ファンの概略駆動図である。
【発明を実施するための形態】
【００１６】
以下、本発明の実施形態を図面に示す実施例を参照しながら説明する。
汎用コンバインは、図１に示すように、左右に一対のクロ−ラ１１，１１を装備した車体１２上に穀稈供給口を前側にして脱穀装置６０を搭載し、その前方に刈取装置１３を設けて、ハト麦や大豆及び稲や大麦等の作物を刈り取って脱穀して穀粒を収穫する作業ができる構成としている。そして、脱穀装置６０は、刈り取った穀稈の全部を扱室に投入する全稈投入式の構成であって、上側に扱室を、下側に選別室をそれぞれ配置した汎用コンバイン用脱穀装置である。
【００１７】
車体１２の前右側に操縦装置や操縦席を設けたキャビン５を搭載し、その後部に脱穀した穀粒を溜めるグレンタンク６を搭載し、このグレンタンク６の後部から穀粒を取り出す排出オーガ７を起伏回動可能に設けている。
【００１８】
刈取装置１３は、取付けのベースとなるテーブル（刈取テーブル）１４を低位置に横向きに配置し、そのテーブル１４を左右両側の垂直な支持枠１５，１５と後上部のメイン横フレーム５２で構成し、支持枠１５，１５に刈刃装置１６と掻込みリール１８を取り付けて支持している。
【００１９】
刈刃装置１６は、前記支持枠１５，１５の前部両側から前方に向けて延長して設けた分草杆１７，１７の間において、前記テーブル１４の前下縁に沿わせて刈刃１６ａを設けた構成としている。
【００２０】
掻込みリール１８は、前記左右両側の支持枠１５，１５の後上部のメイン横フレーム５２の上にリール支持ブラケット５９で支持する回動支持軸５３に基部を枢着して取付けたリール支持アーム１９Ｒ，１９Ｌで支持して、右側のリール支持アーム１９Ｒを油圧シリンダ（昇降手段）１０によって起伏して掻込みリール１８を昇降し、このリール支持アーム１９Ｒ，１９Ｌの先端部分に側面視五角形の掻込側板５４を軸架している。油圧シリンダ１０は、掻込みリール１８のタイン５６の回転軌跡より後方で掻込みオーガ２０の回転軌跡上に設けているためにタイン５６で掻き込まれる穀稈が、油圧シリンダ１０に引っ掛かることが無く掻込みオーガ２０に取り込まれる。
【００２１】
油圧シリンダ１０は、テーブル１４の右側支持枠１５にシリンダケース１０ａを枢着し、シリンダロッド１０ｂを右側のリール支持アーム１９Ｒに枢着して、シリンダロッド１０ｂを伸縮することで右側のリール支持アーム１９Ｒを起伏して掻込みリール１８を昇降する構成である。
【００２２】
そして、リール支持アーム１９Ｒのシリンダロッド１０ｂのロッド枢支軸８の近傍に、下降規制手段Ａを備えている。具体的には、下降規制手段Ａに備える突っ張り体１を突張枢支軸９で枢支し、収穫作業中はリール支持アーム１９Ｒに沿わせて保持する作業状態とし、掻込みリール１８を上昇位置で固定する下降規制状態に切替る場合には、突っ張り体１を下方へ回動して伸ばしたシリンダロッド１０ｂに沿わせて、先端の係合部１ｂをシリンダケース１０ａの端面に当接させてシリンダロッド１０ｂが縮まないようにする。突っ張り体１は、刈取穀稈との干渉を防止するために、作業状態において後述するタイン５６の移動軌跡よりも内側に位置させている。
【００２３】
なお、突っ張り体１はシリンダロッド１０ｂを挟むように断面がＵ字状で、その先端にはシリンダロッド１０ｂを挟み込むように開いたＵ字状の差込ガイド１ａを設けて、先端をシリンダケース１０ａの端面に当接する際にシリンダロッド１０ｂを傷つけないようにしている。
【００２４】
しかして、突っ張り体１を下降規制状態に切替える場合、シリンダケース１０ａの外径よりも開口部の幅が狭いロッド部１ｃの係合部１ｂがシリンダケース１０ａの端面に当接するとともに、開口部の幅がシリンダケース１０ａの外径と略等しい差込ガイド１ａが突っ張り体１の離脱を防止する。
【００２５】
掻込みリール１８は、左右の掻込側板５４の各角部に横架した横タイン軸５７にタイン５６を横方向所定間隔で配置すると共に該タイン５６が常に下向きになるようにしている。
【００２６】
また、横タイン軸５７は、図２に示すように、フィーダー２１の左右中心線２１ａに向かって左右から前方に僅かに突出する状態で回動することで作物をフィーダー２１側へ掻き込むようにしている。
【００２７】
なお、横タイン軸５７は、機体の左右中心線に向かって左右から前方に僅かに突出する状態で回動するようにしても作物が掻込みリール１８に掻き込まれ易くなる。
左右の支持枠１５，１５内に設ける掻込みオーガ２０は、前記刈刃装置１６の刈幅と同等の長さに形成して横向きに設け、その両端を左右の支持枠１５，１５に横軸５５で軸受支持し、フィーダーケース２２の取り込み口に向けて搬送作用するラセンと左右適宜間隔で設ける掻込フィンガを有し、掻込フィンガが刈刃装置１６の先端よりも前に突き出して穀稈を引き込み、回転に伴って刈取穀稈をラセンと掻込フィンガで掻き込みながらテーブル１４の右側寄り後側に設けるフィーダーケース２２の入り口に集める。
【００２８】
このフィーダーケース２２内のフィーダー２１の搬送始端部を掻込みオーガ２０の背後に臨ませて、搬送終端部を前記脱穀装置６０の穀稈供給口に連通させて設け、前記掻込みオーガ２０が集めた刈取穀稈を脱穀装置６０の供給口まで搬送して供給する。
【００２９】
図６は、エンジン６１を冷却するラジエータ６５の空冷駆動機構の動力伝動概略図を示し、エンジン６１から冷却ファン６４への駆動系路を第一ベルト伝動６２から油圧無段変速装置６６を介して第二ベルト伝動６３で冷却ファン６４を駆動する。そして、制御部６７によって油圧無段変速装置６６を変速制御して、冷却ファン６４の正転でラジエータ６５を冷却し、逆転でラジエータ６５とラジエータカバー６８の塵埃を吹き飛ばすようにしている。
【００３０】
制御部６７での制御は、例えば、ラジエータ６５の水温が適温以上に上昇したり掻込みリール１８の回転数が速くなったり掻込みリール１８の位置が所定値より前側になったりすると、エンジン６１の負荷が増大したりラジエータ６５とラジエータカバー６８に付着する塵埃が多くなったりするので、冷却ファン６４の正転回転数を速くし、正逆回転切換の頻度を多くする。
【００３１】
また、キャビン５のドア開閉を検出するセンサを設け、このドアを開いた場合には冷却ファン６４の逆転を行わないようにして、ドアを開いて作業者がキャビン５の外へ出る際に塵埃を吹き出さないようにする。
【符号の説明】
【００３２】
Ａ      下降規制手段
１      突っ張り体
５      キャビン
１０    油圧シリンダ（昇降手段）
１０ａ  シリンダケース
１０ｂ  シリンダロッド
１３    刈取装置
１８    掻込みリール
１９Ｒ  リール支持アーム
５６    タイン
【図１】
2013094104.tif 000003
【図２】
2013094104.tif 000004
【図３】
2013094104.tif 000005
【図４】
2013094104.tif 000006
【図５】
2013094104.tif 000007
【図６】
2013094104.tif 000008